(57)【要約】【課題】遮光フードとレンズ保護部材を兼用することにより、携行に便利なカメラ機器を提供する。【解決手段】カメラ機器は、液晶パネル4を具えたキャビネット1と、該キャビネット1内に設けられた鏡筒2と、液晶パネル4の周部に着脱自在に取り付けられる遮光フード3を具え、遮光フード3は鏡筒2の周囲にも取り付け可能で、レンズ保護部材を兼用する。遮光フード3は、内筒30と外筒31から構成されて、伸縮自在に設けられている。【選択図】図１
2007212918.tif 000002
【特許請求の範囲】
【請求項１】
表示装置を具えたキャビネットと、該キャビネット内に設けられた鏡筒と、表示装置の周部に着脱自在に取り付けられる遮光フードを具え、遮光フードは鏡筒の周囲にも取り付け可能で、レンズ保護部材を兼用することを特徴とするカメラ機器。
【請求項２】
遮光フードの撮影者側端部には、透光体が設けられた、請求項１に記載のカメラ機器。
【請求項３】
遮光フードは、互いにスライド可能な内筒と外筒から構成されて、伸縮自在に設けられた請求項１又は２に記載のカメラ機器。
【請求項４】
キャビネット上にて鏡筒の周部には、遮光フードを収納する凹部が形成された、請求項１乃至３の何れかに記載のカメラ機器。
【発明の詳細な説明】
【技術分野】
【０００１】
本発明は、表示装置を具えたカメラ機器、具体的には液晶パネルを具えたデジタルカメラに関する。
【背景技術】
【０００２】
図５は、従来のデジタルカメラの斜視図である(例えば、特許文献１参照)。これはキャビネット(１)の背面にビューファインダを兼用する表示装置である液晶パネル(４)を具えている。屋外で撮影する際に、太陽光等の強い光が液晶パネル(４)を照射すると、液晶パネル(４)のバックライト光は太陽光に比して、はるかに弱いので、液晶パネル(４)上の画像が見えにくい問題がある。
そこで、図５に示すデジタルカメラは、液晶パネル(４)への光の入射を防ぐ遮光フード(３)を着脱可能としている。遮光フード(３)の撮影者側端部には、凸レンズ(32)が設けられて、撮影者は液晶パネル(４)上の画像を拡大して見ることができる。
【０００３】
【特許文献１】特開２００１−２５１５４１号公報
【発明の開示】
【発明が解決しようとする課題】
【０００４】
図５に示すデジタルカメラでは、キャビネット(１)と遮光フード(３)をセットで持ち歩く必要があり、携帯に不便である。また、キャビネット(１)と遮光フード(３)を取り付けたままでは、体積が嵩張る。特に、斯種カメラはレンズ保護部材を設けているのが通常であるから、キャビネット(１)に、遮光フード(３)とレンズ保護部材が付随していると、体積が一層嵩張り、携行に不便である。
本発明の目的は、遮光フードとレンズ保護部材を兼用することにより、携行に便利なカメラ機器を提供することにある。
【課題を解決するための手段】
【０００５】
カメラ機器は、表示装置を具えたキャビネット(１)と、該キャビネット(１)内に設けられた鏡筒(２)と、表示装置の周部に着脱自在に取り付けられる遮光フード(３)を具え、遮光フード(３)は鏡筒(２)の周囲にも取り付け可能で、レンズ保護部材を兼用する。遮光フード(３)は、内筒(30)と外筒(31)から構成されて、伸縮自在に設けられている。
【発明の効果】
【０００６】
遮光フード(３)はレンズ保護部材を兼用するから、従来のように、遮光フード(３)とレンズ保護部材の両方を持ち歩く必要がなく、携行に便利である。また、遮光フード(３)を伸縮自在に設けることにより、体積が嵩張る不具合をも防止できる。
【発明を実施するための最良の形態】
【０００７】
以下、本発明の一例を図を用いて詳述する。
図１は、本例に係わるデジタルカメラの側面断面図である。キャビネット(１)上には、周知の如く対物レンズ(20)を具えた鏡筒(２)が出没自在に設けられ、キャビネット(１)の背面には液晶パネル(４)が設けられている。近年、斯種デジタルカメラは、ビューファインダを設けておらず、液晶パネル(４)は撮影した画像を再生する際に用いられるだけでなく、ビューファインダとしても用いられる。即ち、鏡筒(２)が捉えた撮影すべき画像が、液晶パネル(４)に表示され、撮影者は液晶パネル(４)に表示された画像を見ながら、撮影範囲等を決定する。
【０００８】
キャビネット(１)上には、液晶パネル(４)を囲むように遮光フード(３)が着脱自在に取り付けられ、該遮光フード(３)はまた鏡筒(２)の周面に取り付けられて、鏡筒(２)の対物レンズ(20)を保護するレンズ保護部材を兼用する。
図１は、遮光フード(３)を鏡筒(２)に取り付けた撮影待機状態を示す。遮光フード(３)は外筒(31)内に内筒(30)をスライド可能に嵌めて構成され、伸縮自在となっている。内筒(30)の内面及び鏡筒(２)の外側には、夫々ネジ部(33)(21)が設けられ、遮光フード(３)は鏡筒(２)に螺合する。尚、遮光フード(３)と鏡筒(２)はネジの螺合に代えて、スナップフィット等にて接続されてもよい。
内筒(30)の先端部には、透光体である凸レンズ(32)が設けられて、遮光フード(３)が鏡筒(２)に取り付けられた状態で、鏡筒(２)のレンズは該凸レンズ(32)により保護される。尚、鏡筒(２)の対物レンズ(20)の保護目的であれば、凸レンズ(32)に代えてガラス板でもよい。また、内筒(30)の先端部が開口していても、鏡筒(２)の周部は保護される。更に、凸レンズ(32)は外筒(31)の先端部に設けられてもよい。
【０００９】
図２(a)、(b)は、デジタルカメラの撮影状態を示す側面断面図である。通常の撮影時には、遮光フード(３)を鏡筒(２)から外し、液晶パネル(４)の周部に取り付ける。鏡筒(２)を被写体に向けて矢印Ｃ方向に前進させて、焦点を合わせる。屋外で撮影する際に、太陽光等の強い光が液晶パネル(４)を照射しても、該光は遮光フード(３)にて液晶パネル(４)への入射を阻止されており、液晶パネル(４)は見難くならない。
図２(b)に示すように、遮光フード(３)の内筒(30)を延ばして、液晶パネル(４)の周部に取り付ければ、液晶パネル(４)の画像が凸レンズ(32)によって拡大され、撮影者にとって見やすくなる。
【００１０】
接写時には、図３に示すように、鏡筒(２)の先端部に遮光フード(３)を取り付け、該鏡筒(２)を被写体に向けて引き出す。遮光フード(３)の凸レンズ(32)は接写用のレンズとなる。凸レンズ(32)と対物レンズ(20)の距離は、接写すべき状況に応じて、内筒(30)を回転させることにより、適宜変えられる。
上記例では、例えば図１に示すように、遮光フード(３)を鏡筒(２)に取り付けた状態で、遮光フード(３)がキャビネット(１)から突出している。この点に鑑みて、図４に示すように、キャビネット(１)上にて鏡筒(２)の周部に凹部(10)を形成し、鏡筒(２)の引き込みに伴って、凹部(10)内に遮光フード(３)を収納すれば、遮光フード(３)はキャビネット(１)を運搬・携行する際の邪魔とはならない。
【００１１】
本例の効果
本例にあっては、遮光フード(３)はレンズ保護部材を兼用するから、従来のように、遮光フード(３)とレンズ保護部材の両方を持ち歩く必要がなく、携行に便利である。また、遮光フード(３)を内筒(30)と外筒(31)とによて構成し、伸縮自在に設けることにより、体積が嵩張る不具合をも防止できる。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、遮光フード(３)は伸縮自在としたが、内筒(30)又は外筒(31)のみを具えた構成でもよい。
【図面の簡単な説明】
【００１３】
【図１】デジタルカメラの側面断面図であって、遮光フードを鏡筒に取り付けた撮影待機状態を示す。
【図２】(a)、(b)は、デジタルカメラの側面断面図であって、遮光フードを液晶パネルに取り付けた撮影状態を示す。
【図３】デジタルカメラの側面断面図であって、接写時を示す。
【図４】キャビネット上に遮光フードを収納する凹部を設けたデジタルカメラの側面断面図である。
【図５】従来のデジタルカメラの斜視図である。
【符号の説明】
【００１４】
(１)  キャビネット
(２)  鏡筒
(３)  遮光フード
(４)  液晶パネル
【図１】
2007212918.tif 000003
【図２】
2007212918.tif 000004
【図３】
2007212918.tif 000005
【図４】
2007212918.tif 000006
【図５】
2007212918.tif 000007